(57)【要約】      （修正有）【課題】糸の引き出しによるリールの惰性回転を減速そして停止させるようにして、リールからの糸の飛び出しを低減できるようにした線引具を提供する。【解決手段】線引具１のケース１ａ、１ｂ内に回転自在に設けられたマーキング用の糸を巻回するリール２の軸２ａにラチェット装置を接続して、糸の引き出しが停止されても惰性で回転し続けているリール２を、ラチェット装置のリール２の軸２ａと共に回転する歯車４ａに当接する歯止め爪４ｂの当接抵抗で、リール２の回転を減速させて停止させるようにする。【選択図】図３
2015067372.tif 000002
【特許請求の範囲】
【請求項１】
ケース内に、糸を巻回するリールが回転自在に設けられ、このリールに巻回する糸が任意のマーキング用着色部材の収容部を通過してケース外に案内される線引具であって、上記糸の引き出しを止めたとき、リールに生じる惰性回転を停止に向わせるための惰性回転抑制手段を設けていることを特徴とする線引具。
【請求項２】
上記惰性回転抑制手段が、ラチェット装置を用いて構成したものであることを特徴とする請求項１に記載の線引具。
【請求項３】
上記惰性回転抑制手段が、接触子をリールもしくはリールの回転が伝達された回転体に、断続的に接触するように構成したものであることを特徴とする請求項１に記載の線引具。
【請求項４】
上記接触子が、リールに形成した概ねケース内壁面に向かって突出する突出部に接触するものであることを特徴とする請求項３に記載の線引具。
【請求項５】
上記突出部が、適当な厚みの羽根状であることを特徴とする請求項４に記載の線引具。
【発明の詳細な説明】
【技術分野】
【０００１】
本発明は、線引具に関するものである。
【背景技術】
【０００２】
従来、線引具の代表的なものとしては墨壷があり、これは建築の際に、木材等の材料の表面に長い直線を簡単に引く道具として用いられている。そして、この墨壷と同じ方法によって直線を引くものには、墨壷に用いられる墨汁やインクに代わり取り扱いが容易な粉末体たる例えばチョーク粉末などを用いて直線を引く線引具、所謂チョーク線引具がある。この線引具は、直線を引くための糸を巻回したリールがケース内に立設する軸に回転自在に支持され、リールに巻回された糸がチョーク粉末などの粉末体を収容する粉末収容室を通過してケースの外部に案内されている。
【０００３】
この線引具による線引作業（マーキング作業）は、線引範囲の一方の端にケースを置き、ケースの糸出入口に係止する糸に結ばれたフック（かるこ）を引き出すと、糸が粉末体収容室を通過する際にチョーク粉末が付着してケースから出てくる。そして、引き出しているフックを線引範囲の他方の端に置いて糸を張り、この糸を上方に持ち上げて放すことにより糸が被線引面に叩き付けられ、糸に付着するチョーク粉末が被線引面に付着し、直線を引くことができる。
【０００４】
そして、線引作業が終わると、ケースに備えるハンドルを糸の巻き取り方向に回転させることによって引き出されている糸がケース内のリールに巻き取られる。リールとハンドルは回転を伝達する軸を介して接続されており、普通、リールはケース内に配置され、ハンドルはケースの外部に配置される。また、リールがケース内の他の部材と隔離されることもある。すなわち、ケース内にリールを収納する室が設けられて、その室に配置されている。
【０００５】
しかしながら、線引作業（マーキング作業）のとき、線引範囲の一方の端に置いたケースからフック（かるこ）の引き出しにより糸を引き出していって、線引範囲の他方の端まで到達したフックを停止させても、この糸の引き出しにより引き出し方向に回転しているリールは停止することなく惰性で回転し続け、リールに巻回されている糸が緩んだり、飛び出してしまう問題があった。特に、長い距離に線引を行う場合、作業者が駆け足で移動して糸を引き出すためリールの回転速度は増し、糸の飛び出し量は相当なものであった。
【０００６】
そして、糸の緩みや飛び出しを直すときは、ハンドルを糸の巻き取り方向に回して直すのであるが、特に、糸がリールから相当な長さ飛び出している場合は、飛び出している糸どうしが絡んでしまってハンドルを回すことができなくなることもあり、この状態になった場合は線引具を分解して糸の絡まりを直さなければならなかった。
【先行技術文献】
【特許文献】
【０００７】
【特許文献１】特開２００５−２１３０１９号公報
【発明の概要】
【発明が解決しようとする課題】
【０００８】
本発明の目的とするところは、糸の引き出しによるリールの惰性回転を減速そして停止させるようにして、リールからの糸の飛び出しを低減できるようにした線引具を提供できるようにすることにある。
【課題を解決するための手段】
【０００９】
上述した課題を解決するために、本発明に係る線引具は、ケース内に、糸を巻回するリールが回転自在に設けられ、このリールに巻回する糸が任意のマーキング用着色部材の収容部を通過してケース外に案内される線引具であって、上記糸の引き出しを止めたとき、リールに生じる惰性回転を停止に向わせるための惰性回転抑制手段を設けていることを特徴とするものである。
【００１０】
また、上記惰性回転抑制手段が、ラチェット装置を用いて構成したものであることを特徴とするものである。
【００１１】
また、上記惰性回転抑制手段が、接触子をリールもしくはリールの回転が伝達された回転体に、断続的に接触するように構成したものであることを特徴とするものである。
【００１２】
また、上記接触子が、リールに形成した概ねケース内壁面に向かって突出する突出部に接触するものであることを特徴とするものである。
【００１３】
また、上記突出部が、適当な厚みの羽根状であることを特徴とするものである。
【００１４】
なお、上記ケースとは、線引用の糸を巻回するリールやマーキング用着色部材たるチョーク粉末やチタン粉末などの粉末体の収容部からなっていて線引具の本体でもある。またケースは、樹脂素材や金属素材などから形成されている。
【００１５】
そして、マーキング用着色部材の収容部は、線引具の形態（例えば、リールに巻回する糸の長さなど）により、ケースと一体（ケース内に形成する）に設けたり、または、ケースに着脱可能に設けている。
【００１６】
糸は、マーキング用着色部材が付着可能な素材からなり、具体的には、綿やナイロン素材からなる撚紐や網紐そして組紐等である。マーキング用着色部材においても、マーキング対象物や距離などによって粉末体やインクなどの着色部材が用いられる。そして、着色部材を収容する収容部も、用いるマーキング用着色部材によりそれに対応する構造であり、例えば、チョーク粉末やチタン粉末などの粉末体を用いるものは、粉末体のケース内の飛散を防止可能な構造、例えば、糸が通過可能に構成された専用の粉末体収容室になっている。
【００１７】
そして、チョーク粉末やチタン粉末などの粉末体を用いるものは、マーキング用着色部材たる粉末体を収容する粉末体収容室における糸の外部出入口に、糸に余分に付いた粉末体を落とす適当な落とし手段が設けられる。また、粉末体収容室とリールを設置したリール室とが隔壁などで仕切られているものは、隔壁の糸の出入口に粉末体の落とし手段が設けられる。なお、ケースの所望の部位に、ケース内に溜まった粉末体を排出する排出部を設けてもよい。
【００１８】
またリールは、リール操作用ハンドルを手動で回して外部に引き出した糸を巻き取るようにしているのが普通であるが、遊星歯車などの増速手段を用いて巻き取り速度を２倍、３倍またこれ以上早く巻き取れるように構成してもよい。そして、電動モータなどを用いて巻き取ってもよく、この電源も、二次電池を用いたりソーラ発電によって電源を供給してもよい。また、このリール操作用ハンドルは折り畳んだり、伸縮できるようにしてもよい。
【００１９】
そして、上記惰性回転抑制手段をラチェット装置を用いて構成した場合は、市販の適合品を選定して構成したり、また、本線引具専用に構成（例えば、歯止め爪を歯車に当接させるための当接用ばねの選定）してもよい。また、歯止め爪自体にばねの性質を持たせてもよく、例えば、歯止め爪の全部または一部をばね鋼や弾性材で形成する。
【００２０】
ラチェット装置の構成も特に限定するものではなく、例えば、ラチェットレンチに用いられている構造のものを適宜改造して用いてもよい。また、歯止め爪や該歯止め爪が当接する歯車の材質も特に限定するものではなく、金属や樹脂（例えば、硬質プラスチック）などのものを用いればよい。勿論、歯止め爪を歯車に当接させるための当接用ばねも、適宜好適な材質のものを用いればよい。
【００２１】
また、回転のロック方向を切り替えられるラチェット装置（レンチ用のラチェット装置）を用いる場合は、回転のロック方向を切り替えるレバーを自動で切り替え可能に構成すれば、糸を引き出すときはリールだけが回転してリール操作用ハンドルは停止した状態になっていて、リール操作用ハンドルはリールに糸を巻き取るときだけ機能するようにもできる。
【発明の効果】
【００２２】
本発明の線引具によれば、線引具のリール部に惰性回転抑制手段を装備しているので、糸の引き出しを止めると、この後も惰性で回転し続けるリールの回転が減速し停止するので、リールからの糸の飛び出しを低減できる。
【００２３】
また、上記のように、リールの回転を徐々に遅くして停止させることで、例えば、糸の引き出し長さが足らないことに気付いてまたすぐに糸の引き出しを始めたとき、すなわち作業者が糸の先端の引き出し用リングを再度引っ張ったときでもリールが完全に停止していないので、リングを引っ張る作業者の指に掛かる力を低減できて、指が損傷するリスクを著しく低減できる。
【図面の簡単な説明】
【００２４】
【図１】本発明に係る線引具の内部構造の概略を示す分解斜視図。
【図２】線引具の全体を示した斜視図。
【図３】惰性回転抑制手段の一例を示す図。
【図４】羽根による粉末体の塊の処理操作を示す図。
【発明を実施するための形態】
【００２５】
以下、本発明に係る線引具を、添付図面に示す具体例に基づいて説明する。図１は、本線引具の内部構造の概略を示す分解斜視図で、図中の符号１が線引具、符号１ａ、１ｂは、ねじなどの固定手段（図示は省略）によって固定される線引具１の半ケース、符号２は、マーキング用の糸（本図では省略）を巻回するリール、符号２ａは、リール操作用ハンドル３に接続されているリール２の中心に有する軸である。
【００２６】
軸２ａの一方は惰性回転抑制手段たるラチェット装置４に接続していて、本実施例では、ラチェット装置４がリール２の軸２ａと直接に接続しているものを示しているが、何らかの伝達手段を介在させて間接に接続してもよい。
【００２７】
符号５は、粉末体収容室８を螺着するための雄ねじ６が形成された粉末体収容室取付部である。符号７は、線引具１を携帯するときや、線引作業（マーキング作業）の際にケースから出た糸９（図２を参照）をマーキング面に押し付けるときに使用される持ち手である。
【００２８】
図２は、線引具の全体を示していて、線引具１の粉末体収容室８内においてマーキング用着色部材（図示は省略）が付着した糸９は、粉末体収容室８に形成した出入り口８ａから外部に出る。糸９には、引き出し易いようにリング９ａが設けられており、またリング９ａは、粉末体収容室８内への糸９の引き込み防止機能も果たす。
【００２９】
図３は、惰性回転抑制手段の一例を示していて、図３中の（ａ）は、ラチェット装置４の構造の一例を示しており、図３中の（ｂ）は、接触子４ａをリール２の回転が伝達された回転体に断続的に接触するように構成したものの一例を示しており、図３中の（ｃ）は、接触子をリールに断続的に接触するように構成したものの一例を示している。
【００３０】
図３中の（ａ）に示したように、ラチェット装置４の構造は、リール２の軸２ａに接続された歯車４ａに、歯止め爪４ｂがばね４ｃによって当接しているもので、歯止め爪４ｂがばね４ｃによって歯車４ａに当接する当接抵抗により、糸９の引き出しを止めたときに生じるリール２の惰性回転を停止に向わせる。
【００３１】
そして、ラチェット装置４の歯止め爪４ｂの当接抵抗の値を、当接用のばね４ｃなどの選定によって容易に変更できるので、惰性回転するリール２の停止時間の設定も容易にできる。
【００３２】
図３中の（ｂ）に示したように、接触子４ｄをリール２の回転が伝達された回転体４ｅの突部４ｆ、すなわちリール２の軸２ａに接続された回転体４ｅの突部４ｆに断続的に接触するように構成したものは、回転体４ｅの突部４ｆが接触子４ｄを弾くときの弾き抵抗により、糸９の引き出しを止めたときに生じるリール２の惰性回転を停止に向わせる。
【００３３】
図３中の（ｃ）に示したように、接触子４ｄをリール２に、すなわちリール２の一方に形成されている羽根２ｃに断続的に接触するように構成したものは、リール２の羽根２ｃが接触子４ｄを弾くときの弾き抵抗により、糸９の引き出しを止めたときに生じるリール２の惰性回転を停止に向わせる。また、接触子４ｄも１パーツで形成したり２パーツ以上の部材で形成してもよく、設置部位に合わせて選定すればよい。さらに、接触子４ｄを設置する部材に一体成型などによって一体的に設けてもよい。
【００３４】
そして、接触子４ｄの接触（当接）抵抗の値は、接触子４ｄの素材（弾性の強さ）や、接触（当接）用にばねを用いているときはこのばねの選定によって容易に変更できるので、惰性回転するリール２の停止時間の設定も容易にできる。また、接触子４ｄの素材も、機能に支障が生じなければ所望の素材を用いて形成すればよく、例えば、接触子の全部または一部をばね鋼や金属や弾性材で形成してもよい。
【００３５】
なお、図３中の（ｃ）のように構成すると、羽根２ｃによってケースの半ケース１ａ、１ｂにおけるリール２の糸巻き部側板２ｂの外面とケース内壁面１ｃとの間に入り込んでいる粉末体が湿気を帯びることなどにより生じる粉末体の塊１０（図４参照）を、糸巻き部側板２ｂ下からこの外方に排出できると共に、糸９の引き出しを止めたときに生じるリール２の惰性回転を停止に向わせることができる。
【００３６】
図４は、羽根２ｃによる粉末体の塊１０の処理操作を示していて、本図４は、線引作業（マーキング作業）を行うため線引具１のケース内から糸９を引き出しているときで、このときは、保管中に生じた粉末体の塊１０が、回転するリール２の糸巻き部側板２ｂの外面に設けられた羽根２ｃの衝突によって砕かれ、また上方部分が削ぎ取られ、さらに、羽根による掃き出しやリールの回転によって羽根に生じた風によって糸巻き部側板２ｂ下からこの外方に排出される。
【符号の説明】
【００３７】
１…線引具
１ａ…半ケース
１ｂ…半ケース
１ｃ…ケース内壁面
２…リール
２ａ…軸
２ｂ…糸巻き部側板
２ｃ…羽根
３…リール操作用ハンドル
４…ラチェット装置
４ａ…歯車
４ｂ…歯止め爪
４ｃ…ばね
４ｄ…接触子
４ｅ…回転体
４ｆ…突部
５…粉末体収容室取付部
６…雄ねじ
７…持ち手
８…粉末体収容室
８ａ…出入り口
９…糸
９ａ…リング
１０…粉末体の塊
【図１】
2015067372.tif 000003
【図２】
2015067372.tif 000004
【図３】
2015067372.tif 000005
【図４】
2015067372.tif 000006